【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
各ピクチャが分割された第１のブロックが１つまたは複数の第２のブロックに分割され、インター予測により動画像が符号化された符号化ビット列を復号する動画像復号装置であって、
復号対象となるピクチャ内の、復号対象となる前記第２のブロックに近接する第３のブロックのインター予測情報から第１インター予測情報候補の導出を行う第１予測情報導出部と、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出部と、
前記復号対象となる前記第２のブロックのインター予測に用いるインター予測情報を示すインデックスを復号する復号部と、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、
前記予測情報候補リストにおける前記予測情報候補から、前記インデックスが示す前記復号対象となる前記第２のブロックの前記インター予測に用いるインター予測情報の候補を選択する選択部とを備え、
前記第１予測情報導出部は、前記復号対象となる前記第２のブロックを含む前記第１のブロックと同じ第１のブロックに含まれる第５のブロックの符号化情報を第１インター予測情報候補としないとともに、
前記第２予測情報導出部は、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号装置。
【請求項２】
前記第１予測情報導出部は、前記第１のブロックを上側の第６のブロックと下側の第７のブロックの上下に分割する分割モードで、前記復号対象となる前記第２のブロックが前記第７のブロックの場合、その第７のブロックの上辺に近接する前記第６のブロックの符号化情報を前記第１インター予測情報候補としないと共に、
前記第１のブロックを左側の第８のブロックと右側の第９のブロックの左右に分割する分割モードで、前記復号対象となる前記第２のブロックが前記第９のブロックの場合、その第９のブロックの左辺に近接する前記第８のブロックの符号化情報を前記第１インター予測情報候補としないことを特徴とする請求項１記載の動画像復号装置。
【請求項３】
前記第２予測情報導出部は、前記第２インター予測情報候補を含む前記インター予測情報により前記復号対象となる前記第２のブロックの前記インター予測を行うマージモードにおいて、前記分割モードに関係なく、前記復号対象となる前記第２のブロックのいずれについても、前記第２インター予測情報候補における、参照ピクチャを特定するための参照インデックス情報をデフォルト値に設定し、前記デフォルト値に設定された前記参照インデックス情報に基づいて、前記第２インター予測情報候補を導出することを特徴とする請求項２記載の動画像復号装置。
【請求項４】
前記第２インター予測情報候補の前記参照インデックス情報に設定する前記デフォルト値は０であることを特徴とする請求項３記載の動画像復号装置。
【請求項５】
分割モードに基づいて復号ブロックを１つまたは複数の予測ブロックに分割して動き補償予測を行う画像復号装置であって、
復号対象の予測ブロックと時間的に異なる復号済みのピクチャにおける、前記復号対象の予測ブロックと同一位置あるいはその付近に存在する予測ブロックのインター予測情報から、時間マージ候補となるインター予測情報を導出し、その導出したインター予測情報により前記復号対象の予測ブロックのインター予測を行うマージモードにおいて、前記復号対象の予測ブロックで用いられる参照ピクチャを特定する参照インデックス情報として、時間マージ候補の参照インデックス情報を導出する参照インデックス導出部と、
導出された前記参照インデックス情報に基づいた時間マージ候補のインター予測情報を導出する時間マージ候補生成部と
を備え、
前記参照インデックス導出部は、
前記分割モードが前記復号ブロックを水平境界で上下の予測ブロックに分割するモードである場合、時間マージ候補の参照インデックス情報を前記復号対象の予測ブロックの左辺に隣接する復号済みの予測ブロックの参照インデックス情報の値に設定して出力し、
前記分割モードが前記復号ブロックを垂直境界で左右の予測ブロックに分割するモードである場合、時間マージ候補の参照インデックス情報を前記復号対象の予測ブロックの上辺に隣接する復号済みの予測ブロックの参照インデックス情報の値に設定して出力することを特徴とする動画像復号装置。
【請求項６】
各ピクチャが分割された第１のブロックが１つまたは複数の第２のブロックに分割され、インター予測により動画像が符号化された符号化ビット列を復号する動画像復号方法であって、
復号対象となるピクチャ内の、復号対象となる前記第２のブロックに近接する第３のブロックのインター予測情報から第１インター予測情報候補の導出を行う第１予測情報導出ステップと、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、
前記復号対象となる前記第２のブロックのインター予測に用いるインター予測情報を示すインデックスを復号する復号ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記インデックスが示す前記復号対象となる前記第２のブロックの前記インター予測に用いるインター予測情報の候補を選択する選択ステップとを備え、
前記第１予測情報導出ステップは、前記復号対象となる前記第２のブロックを含む前記第１のブロックと同じ第１のブロックに含まれる第５のブロックの符号化情報を第１インター予測情報候補としないとともに、
前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号方法。
【請求項７】
各ピクチャが分割された第１のブロックが１つまたは複数の第２のブロックに分割され、インター予測により動画像が符号化された符号化ビット列を復号する動画像復号プログラムであって、
復号対象となるピクチャ内の、復号対象となる前記第２のブロックに近接する第３のブロックのインター予測情報から第１インター予測情報候補の導出を行う第１予測情報導出ステップと、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、
前記復号対象となる前記第２のブロックのインター予測に用いるインター予測情報を示すインデックスを復号する復号ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記インデックスが示す前記復号対象となる前記第２のブロックの前記インター予測に用いるインター予測情報の候補を選択する選択ステップと
をコンピュータに実行させ、
前記第１予測情報導出ステップは、前記復号対象となる前記第２のブロックを含む前記第１のブロックと同じ第１のブロックに含まれる第５のブロックの符号化情報を第１インター予測情報候補としないとともに、
前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号プログラム。
【請求項８】
各ピクチャが分割された第１のブロックが１つまたは複数の第２のブロックに分割され、インター予測により動画像が符号化された符号化ビット列がパケット化された符号化データを受信する受信部と、
受信された前記符号化データをパケット処理して符号化ストリームを生成するパケット処理部と、
前記符号化ストリームにおける復号対象となるピクチャ内の、復号対象となる前記第２のブロックに近接する第３のブロックのインター予測情報から第１インター予測情報候補の導出を行う第１予測情報導出部と、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出部と、
前記復号対象となる前記第２のブロックのインター予測に用いるインター予測情報を示すインデックスを復号する復号部と、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、
前記予測情報候補リストにおける前記予測情報候補から、前記インデックスが示す前記復号対象となる前記第２のブロックの前記インター予測に用いるインター予測情報の候補を選択する選択部とを備え、
前記第１予測情報導出部は、前記復号対象となる前記第２のブロックを含む前記第１のブロックと同じ第１のブロックに含まれる第５のブロックの符号化情報を第１インター予測情報候補としないとともに、
前記第２予測情報導出部は、前記復号対象となる前記第２のブロックを含む前記第１のブロックと同じ第１のブロックに含まれる第５のブロックの符号化情報を参照せずに前記第２インター予測情報候補の導出を行うことを特徴とする受信装置。
【請求項９】
各ピクチャが分割された第１のブロックが１つまたは複数の第２のブロックに分割され、インター予測により動画像が符号化された符号化ビット列がパケット化された符号化データを受信する受信ステップと、
受信された前記符号化データをパケット処理して符号化ストリームを生成するパケット処理ステップと、
前記符号化ストリームにおける復号対象となるピクチャ内の、復号対象となる前記第２のブロックに近接する第３のブロックのインター予測情報から第１インター予測情報候補の導出を行う第１予測情報導出ステップと、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、
前記復号対象となる前記第２のブロックのインター予測に用いるインター予測情報を示すインデックスを復号する復号ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記インデックスが示す前記復号対象となる前記第２のブロックの前記インター予測に用いるインター予測情報の候補を選択する選択ステップとを備え、
前記第１予測情報導出ステップは、前記復号対象となる前記第２のブロックを含む前記第１のブロックと同じ第１のブロックに含まれる第５のブロックの符号化情報を第１インター予測情報候補としないともに、
前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする受信方法。
【請求項１０】
各ピクチャが分割された第１のブロックが１つまたは複数の第２のブロックに分割され、インター予測により動画像が符号化された符号化ビット列がパケット化された符号化データを受信する受信ステップと、
受信された前記符号化データをパケット処理して符号化ストリームを生成するパケット処理ステップと、
前記符号化ストリームにおける復号対象となるピクチャ内の、復号対象となる前記第２のブロックに近接する第３のブロックのインター予測情報から第１インター予測情報候補の導出を行う第１予測情報導出ステップと、
前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、
前記復号対象となる前記第２のブロックのインター予測に用いるインター予測情報を示すインデックスを復号する復号ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記インデックスが示す前記復号対象となる前記第２のブロックの前記インター予測に用いるインター予測情報の候補を選択する選択ステップと
をコンピュータに実行させ、
前記第１予測情報導出ステップは、前記復号対象となる前記第２のブロックを含む前記第１のブロックと同じ第１のブロックに含まれる第５のブロックの符号化情報を第１インター予測情報候補としないとともに、
前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする受信プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム、並びに、受信装置、受信方法、及び受信プログラム
【手続補正３】
【補正対象書類名】明細書
【補正対象項目名】００１６
【補正方法】変更
【補正の内容】
【００１６】
各ピクチャが分割された第１のブロックが１つまたは複数の第２のブロックに分割され、インター予測により動画像が符号化された符号化ビット列を復号する動画像復号装置であって、復号対象となるピクチャ内の、復号対象となる前記第２のブロックに近接する第３のブロックのインター予測情報から第１インター予測情報候補の導出を行う第１予測情報導出部と、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出部と、前記復号対象となる前記第２のブロックのインター予測に用いるインター予測情報を示すインデックスを復号する復号部と、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、前記予測情報候補リストにおける前記予測情報候補から、前記インデックスが示す前記復号対象となる前記第２のブロックの前記インター予測に用いるインター予測情報の候補を選択する選択部とを備え、前記第１予測情報導出部は、前記復号対象となる前記第２のブロックを含む前記第１のブロックと同じ第１のブロックに含まれる第５のブロックの符号化情報を第１インター予測情報候補としないとともに、前記第２予測情報導出部は、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号装置を提供する。
分割モードに基づいて復号ブロックを１つまたは複数の予測ブロックに分割して動き補償予測を行う画像復号装置であって、復号対象の予測ブロックと時間的に異なる復号済みのピクチャにおける、前記復号対象の予測ブロックと同一位置あるいはその付近に存在する予測ブロックのインター予測情報から、時間マージ候補となるインター予測情報を導出し、その導出したインター予測情報により前記復号対象の予測ブロックのインター予測を行うマージモードにおいて、前記復号対象の予測ブロックで用いられる参照ピクチャを特定する参照インデックス情報として、時間マージ候補の参照インデックス情報を導出する参照インデックス導出部と、導出された前記参照インデックス情報に基づいた時間マージ候補のインター予測情報を導出する時間マージ候補生成部とを備え、前記参照インデックス導出部は、前記分割モードが前記復号ブロックを水平境界で上下の予測ブロックに分割するモードである場合、時間マージ候補の参照インデックス情報を前記復号対象の予測ブロックの左辺に隣接する復号済みの予測ブロックの参照インデックス情報の値に設定して出力し、前記分割モードが前記復号ブロックを垂直境界で左右の予測ブロックに分割するモードである場合、時間マージ候補の参照インデックス情報を前記復号対象の予測ブロックの上辺に隣接する復号済みの予測ブロックの参照インデックス情報の値に設定して出力することを特徴とする動画像復号装置を提供する。
各ピクチャが分割された第１のブロックが１つまたは複数の第２のブロックに分割され、インター予測により動画像が符号化された符号化ビット列を復号する動画像復号方法であって、復号対象となるピクチャ内の、復号対象となる前記第２のブロックに近接する第３のブロックのインター予測情報から第１インター予測情報候補の導出を行う第１予測情報導出ステップと、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、前記復号対象となる前記第２のブロックのインター予測に用いるインター予測情報を示すインデックスを復号する復号ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記インデックスが示す前記復号対象となる前記第２のブロックの前記インター予測に用いるインター予測情報の候補を選択する選択ステップとを備え、前記第１予測情報導出ステップは、前記復号対象となる前記第２のブロックを含む前記第１のブロックと同じ第１のブロックに含まれる第５のブロックの符号化情報を第１インター予測情報候補としないとともに、前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号方法を提供する。
各ピクチャが分割された第１のブロックが１つまたは複数の第２のブロックに分割され、インター予測により動画像が符号化された符号化ビット列を復号する動画像復号プログラムであって、復号対象となるピクチャ内の、復号対象となる前記第２のブロックに近接する第３のブロックのインター予測情報から第１インター予測情報候補の導出を行う第１予測情報導出ステップと、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、前記復号対象となる前記第２のブロックのインター予測に用いるインター予測情報を示すインデックスを復号する復号ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記インデックスが示す前記復号対象となる前記第２のブロックの前記インター予測に用いるインター予測情報の候補を選択する選択ステップとをコンピュータに実行させ、前記第１予測情報導出ステップは、前記復号対象となる前記第２のブロックを含む前記第１のブロックと同じ第１のブロックに含まれる第５のブロックの符号化情報を第１インター予測情報候補としないとともに、前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする動画像復号プログラムを提供する。
各ピクチャが分割された第１のブロックが１つまたは複数の第２のブロックに分割され、インター予測により動画像が符号化された符号化ビット列がパケット化された符号化データを受信する受信部と、受信された前記符号化データをパケット処理して符号化ストリームを生成するパケット処理部と、前記符号化ストリームにおける復号対象となるピクチャ内の、復号対象となる前記第２のブロックに近接する第３のブロックのインター予測情報から第１インター予測情報候補の導出を行う第１予測情報導出部と、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出部と、前記復号対象となる前記第２のブロックのインター予測に用いるインター予測情報を示すインデックスを復号する復号部と、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、前記予測情報候補リストにおける前記予測情報候補から、前記インデックスが示す前記復号対象となる前記第２のブロックの前記インター予測に用いるインター予測情報の候補を選択する選択部とを備え、前記第１予測情報導出部は、前記復号対象となる前記第２のブロックを含む前記第１のブロックと同じ第１のブロックに含まれる第５のブロックの符号化情報を第１インター予測情報候補としないとともに、前記第２予測情報導出部は、前記復号対象となる前記第２のブロックを含む前記第１のブロックと同じ第１のブロックに含まれる第５のブロックの符号化情報を参照せずに前記第２インター予測情報候補の導出を行うことを特徴とする受信装置を提供する。
各ピクチャが分割された第１のブロックが１つまたは複数の第２のブロックに分割され、インター予測により動画像が符号化された符号化ビット列がパケット化された符号化データを受信する受信ステップと、受信された前記符号化データをパケット処理して符号化ストリームを生成するパケット処理ステップと、前記符号化ストリームにおける復号対象となるピクチャ内の、復号対象となる前記第２のブロックに近接する第３のブロックのインター予測情報から第１インター予測情報候補の導出を行う第１予測情報導出ステップと、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、前記復号対象となる前記第２のブロックのインター予測に用いるインター予測情報を示すインデックスを復号する復号ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記インデックスが示す前記復号対象となる前記第２のブロックの前記インター予測に用いるインター予測情報の候補を選択する選択ステップとを備え、前記第１予測情報導出ステップは、前記復号対象となる前記第２のブロックを含む前記第１のブロックと同じ第１のブロックに含まれる第５のブロックの符号化情報を第１インター予測情報候補としないともに、前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする受信方法を提供する。
各ピクチャが分割された第１のブロックが１つまたは複数の第２のブロックに分割され、インター予測により動画像が符号化された符号化ビット列がパケット化された符号化データを受信する受信ステップと、受信された前記符号化データをパケット処理して符号化ストリームを生成するパケット処理ステップと、前記符号化ストリームにおける復号対象となるピクチャ内の、復号対象となる前記第２のブロックに近接する第３のブロックのインター予測情報から第１インター予測情報候補の導出を行う第１予測情報導出ステップと、前記復号対象となるピクチャとは異なるピクチャ内の、前記復号対象となる前記第２のブロックと同一位置またはその付近に存在する第４のブロックのインター予測情報から第２インター予測情報候補の導出を行う第２予測情報導出ステップと、前記復号対象となる前記第２のブロックのインター予測に用いるインター予測情報を示すインデックスを復号する復号ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記インデックスが示す前記復号対象となる前記第２のブロックの前記インター予測に用いるインター予測情報の候補を選択する選択ステップとをコンピュータに実行させ、前記第１予測情報導出ステップは、前記復号対象となる前記第２のブロックを含む前記第１のブロックと同じ第１のブロックに含まれる第５のブロックの符号化情報を第１インター予測情報候補としないとともに、前記第２予測情報導出ステップは、前記復号対象となる前記第２のブロックを含む前記第１のブロックと同じ第１のブロックに含まれる第５のブロックの符号化情報を参照せずに前記第２インター予測情報候補の導出を行うことを特徴とする受信プログラムを提供する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】